(57)【要約】【課題】マンションの通路などにおいて、住人が不審者と思われる人物を発見した場合において、住人自らが不審者と思われる人物に要件を確認する場合、前記人物から危害を加えられる可能性があった。【解決手段】上記課題は、不審者監視装置が利用者から不審者監視要求情報を受信する手段と、不審者管理要求に対応する監視タイマ情報を格納する第１の記憶手段と、前記第１の記憶手段より、前記不審者監視要求に対応する監視タイマ情報を抽出し、前記監視タイマ情報に基づく監視タイマを設定する手段と、不審者監視要求情報に対応する留守宅情報を格納する第２の記憶手段と、前記監視タイマのタイムアウトを検出した場合、前記不審者監視要求情報と前記第２の記憶手段より抽出した前記不審者監視要求情報に対応する留守宅情報に基づいて、不審者存在情報を生成し、前記不審者存在情報を前記利用者に送信する手段を備えることで解決される。【選択図】　　　　　　　　図１
2004029925.tif 000002
【特許請求の範囲】
【請求項１】
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と前記第２の記憶手段より抽出した前記不審者監視要求情報に対応する留守宅情報に基づいて、不審者存在情報を生成し、前記不審者存在情報を前記利用者に送信する手段を備えたことを特徴とする不審者監視装置。
【請求項２】
前記不審者存在情報を、連絡先情報を格納する第３の記憶手段と、
前記第３の記憶手段より抽出した連絡先に送信する手段を、更に備えたことを特徴とする請求項１記載の不審者監視装置。
【請求項３】
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在する場合、留守宅が存在する監視フロアに不審者がいると見なすメッセージを生成し、前記メッセージを前記利用者に送信する手段を備えたことを特徴とする不審者監視装置。
【請求項４】
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在しない場合、監視フロアに不審者がいると見なすメッセージを生成し、前記メッセージを前記利用者に送信する手段を備えたことを特徴とする不審者監視装置。
【請求項５】
不審者監視装置における不審者監視方法であって、
前記不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報に基づいて、不審者存在情報を生成し、前記不審者存在情報を前記利用者に送信するステップを備えたことを特徴とする不審者監視方法。
【発明の詳細な説明】
【０００１】
【発明の属する技術分野】
本発明は、不審者を監視する不審者監視装置に関する。
【０００２】
【従来の技術】
マンションの通路などにおいて、住人が不審者と思われる人物を発見した場合、その場又は、一定時間経過後に前記人物がまだ周辺を徘徊していた場合に、住人自らがその人物に要件を確認するか、また、前記人物を不審者と見なして、管理人や警備会社・警察などへマンション内に不審者と思われる人物がいる旨を連絡していた。
【０００３】
【発明が解決しようとする課題】
このため、第１の課題として、住人自らが不審者と思われる人物に要件を確認する場合、前記人物から危害を加えられる可能性が低くないことが挙げられる。
【０００４】
また、第２の課題として、一定時間経過後前記人物がまだ周辺を徘徊していた時に住人自らが前記人物に要件確認又は、前記人物を不審者と見なして、管理人や警備会社・警察などへマンション内に不審者と思われる人物がいる旨を連絡する場合、住人は再度、前記人物を発見した場所に赴く必要があることが挙げられる。
【０００５】
【課題を解決するための手段】
前記第１及び第２の課題については、不審者監視装置が、利用者から不審者監視要求情報を受信する手段と、不審者管理要求に対応する監視タイマ情報を格納する第１の記憶手段と、前記第１の記憶手段より、前記不審者監視要求に対応する監視タイマ情報を抽出し、前記監視タイマ情報に基づく監視タイマを設定する手段と、不審者監視要求情報に対応する留守宅情報を格納する第２の記憶手段と、前記監視タイマのタイムアウトを検出した場合、前記不審者監視要求情報と前記第２の記憶手段より抽出した前記不審者監視要求情報に対応する留守宅情報に基づいて、不審者存在情報を生成し、前記不審者存在情報を前記利用者に送信する手段を備えることで解決される。
【０００６】
【発明の実施の形態】
以下に、本発明による不審者監視装置の一実施形態を図面により詳細に説明する。図１は、本発明のシステム構成図である。同図において、不審者監視装置１０１には、住人が操作を行う一台以上の住人端末１１７と前記住人の連絡先に設置される一台以上の連絡先端末１２１・訪問者と住人の訪問に関する仲介を行うエントランス装置１２３・各住居のドアの開閉状況を記録するドア開閉記録装置１２５がネットワーク１１９を介して接続されているものとする。
【０００７】
また、訪問履歴管理装置１０１はプロセッサとメモリを有するコンピュータであって、例えば、マンションなどに設置され、フロア番号と部屋番号・留守情報を保持する留守宅ＤＢ１１１と、フロア番号と部屋番号・ドア開閉日時を保持するドア開閉ＤＢ１１３と、通知連絡先と電話番号・アドレスを保持する連絡先ＤＢ１１５と、訪問者から受信したエントランス開放要求と前記エントランス開放要求の結果に基づいて留守宅情報を留守宅ＤＢ１１１に格納する留守宅記録プログラム１０３と、各住居のドアの開閉情報を受信し、ドア開閉ＤＢ１１３に格納するドア開閉記録プログラム１０５と、住人からの不審者監視要求を受信し、その際に設定した不審者監視タイマと、前記不審者監視要求情報に対応する留守宅情報に基づいて、不審者存在情報を生成し、前記不審者存在情報を前記利用者及び、通報先に送信する不審者監視プログラム１０７を備える。
【０００８】
先ず、訪問者から受信したエントランス開放要求と前記エントランス開放要求の結果に基づいて留守宅情報を留守宅ＤＢ１１１に格納する処理を図２、図５、図６を用いて説明する。
【０００９】
図２は訪問者から受信したエントランス開放要求と前記エントランス開放要求の結果に基づいて留守宅情報を留守宅ＤＢ１１１に格納する処理を説明するフローチャート、図５は留守宅ＤＢ１１１とドア開閉ＤＢ１１３・通報先ＤＢ１１５の具体的な内容を開示したもの、図６は訪問者が操作するエントランス装置１２３及び、住人が操作する住人端末１１７のイメージ図である。ここで図２により、訪問者から受信したエントランス開放要求と前記エントランス開放要求の結果に基づいて留守宅情報を留守宅ＤＢ１１１に格納する場合の本装置の動作を説明する。
【００１０】
訪問者はエントランス装置を経由して本装置に対して、訪問先の鍵情報又は、訪問先の部屋番号のいずれかを含むエントランス開放要求を入力することでエントランスの開放要求を行う。図６の６０１は、訪問者が部屋番号「１０１」を入力して、前記エントランス開放要求を行った場合のエントランス装置のイメージ図である。本装置は、Ｓ２０１で前記エントランス開放要求を受信し、Ｓ２０３で前記エントランス開放要求が鍵以外による開放要求かどうかの判定を行う。
【００１１】
前記判定の結果、前記エントランス開放要求が鍵以外による開放要求の場合、Ｓ２０５で前記訪問先の部屋に設置されている住人端末１１７に対して、エントランス開放要求を送信する。前記判定の結果、前記エントランス開放要求が鍵以外による開放要求の場合、Ｓ２１７でエントランスの開放を行う。Ｓ２０７で、Ｓ２０５で送信したエントランス開放要求の結果受信待ちタイマの設定を行う。Ｓ２０９で図示していない本装置のシステムタイマから現在日時の読み込みを行う。
【００１２】
Ｓ２１１で前記現在日時が前記タイマを越えてタイムアウトしているかどうかの判定を行う。前記判定の結果、タイムアウトしていた場合、Ｓ２１３で前記エントランス開放要求中のフロア番号と部屋番号・現在日時を留守宅ＤＢ１１１に格納する。図５の５０１は、本装置がフロア番号「１」、部屋番号「１０１」の留守状況が「留守」と言う情報を格納した場合の図１の留守宅ＤＢ１１１である。前記判定の結果、タイムアウトしていない場合、Ｓ２１５で前記訪問先の住人端末１１７からエントランス開放信号を受信したかどうかの判定を行う。前記判定の結果、前記エントランス開放信号を受信した場合、Ｓ２１７でエントランスの開放を行い、前記エントランス開放信号を受信していない場合、再度Ｓ２１１のタイムアウトしているかどうかの判定を行う。図６の６０３は、マンションの住人がエントランス開放要求を行う場合に使用する住人端末１１７上のエントランスロック解除ボタンのイメージ図である。
【００１３】
次に、各住居のドアの開閉情報を受信し、ドア開閉ＤＢ１１３に格納する処理を図３、図５、図６を用いて説明する。図３はドア開閉感知装置から受信したドアの開閉情報をドア開閉ＤＢ１１３に格納する処理を説明するフローチャートである。ここで図３により、ドア開閉感知装置から受信したフロア番号と部屋番号を含むドアの開閉情報をドア開閉ＤＢ１１３に格納する場合の本装置の動作を説明する。
【００１４】
本装置は、Ｓ３０１で前記ドア開閉情報を受信し、Ｓ３０３で図示していない本装置のシステムタイマから現在日時の読み込みを行う。Ｓ３０５で、前記フロア番号と部屋番号・前記現在日時をドア開閉ＤＢ１１３に格納する。図５の５０３は、本装置が部屋番号「２０２」のドアが「２００２／５／１６」に開閉されたと言う情報を格納した場合の図１のドア開閉ＤＢ１１３である。
【００１５】
最後に、住人からの不審者監視要求を受信し、その際に設定した不審者監視タイマと、前記不審者監視要求情報に対応する留守宅情報に基づいて、不審者存在情報を生成し、前記不審者存在情報を前記住人及び、通報先に送信する処理を図４、図５、図６を用いて説明する。図４は住人からの不審者監視要求を受信し、その際に設定した不審者監視タイマと、前記不審者監視要求情報に対応する留守宅情報に基づいて、不審者存在情報を生成し、前記不審者存在情報を前記利用者及び、通報先に送信するフローチャートである。図６の６０３の６０３３は、マンションの住人が不審者監視要求を行う場合に使用する住人端末１１７上の不審者監視ボタンのイメージ図である。ここで図４により、住人からのフロア番号又は、部屋番号を含む不審者監視要求を受信し、その際に設定した不審者監視タイマと、前記不審者監視要求情報に対応する留守宅情報に基づいて、不審者存在情報を生成し、前記不審者存在情報を前記利用者及び、通報先に送信する場合の本装置の動作を説明する。
【００１６】
本装置は、Ｓ４０１で前記不審者監視要求を受信し、Ｓ４０３で図示していない本装置が保持している監視タイマの設定を行い、Ｓ４０５で図示していない本装置のシステムタイマから現在日時の読み込みを行う。Ｓ４０７で前記現在日時が前記監視タイマを越えてタイムアウトしているかどうかの判定を行う。前記判定の結果、タイムアウトしていない場合、Ｓ４０９で前記監視タイマ設定以降のドア開閉情報が存在するかどうかの判定を行う。
【００１７】
前記判定の結果、前記監視タイマ設定以降のドア開閉情報が存在する場合、当初不審者と思われた人は開閉されたドアから何れか部屋に入ったので、不審者ではなく訪問者であると見なし、Ｓ４１１で前記住人の住人端末１１７に対して、不審者監視停止メッセージの送信を行う。図７の７０１は、本装置から不審者監視停止メッセージを受信した場合の住人端末１１７のイメージ図である。
【００１８】
本実施ではドア開閉情報を不審者監視停止メッセージの送出条件として挙げたが、他にも図示していないエレベータ使用記録装置から受信したエレベータ使用日時や、図示していない階段使用記録装置から受信した階段使用日時が前記監視タイマ設定以降に存在するかどうかの判定方法を用いても良い。
【００１９】
前記判定の結果、前記監視タイマ設定以降のドア開閉情報が存在しない場合、Ｓ４０７で再度タイムアウトしているかどうかの判定を行う。Ｓ４０７の前記判定結果が、タイムアウトの場合、Ｓ４１３で前記不審者監視要求中のフロア番号に対応する留守宅情報が留守宅ＤＢ１１３中に存在するかどうかの判定を行う。前記判定の結果、前記不審者監視要求中のフロア番号に対応する留守宅情報が留守宅ＤＢ１１３中に存在する場合、留守宅が存在する監視フロアに不審者がいると見なし、Ｓ４１５でその旨のメッセージを生成し、前記住人の住人端末１１７に送信し、Ｓ４１９で前記メッセージを通報先ＤＢ１１５から抽出した通報先の通報先端末１２１に送信する。図７の７０３は、本装置から留守宅が存在する監視フロアに不審者がいると見なしたメッセージを受信した場合の住人端末１１７のイメージ図である。図５の５０５は、本装置が管理者により登録された連絡先名「管理人」と電話番号「０４４１２３４５６」・アドレス「ｋａｎｎｒｉ＠ｆｊ．ｃｏｍ」言う情報を格納した場合の図１の通知先ＤＢ１１５である。
【００２０】
前記判定の結果、前記不審者監視要求中のフロア番号に対応する留守宅情報が留守宅ＤＢ１１３中に存在しない場合、監視フロアに不審者がいると見なし、Ｓ４１７でその旨のメッセージを生成し、前記住人の住人端末１１７に送信し、Ｓ４１９で前記メッセージを通報先ＤＢ１１５から抽出した通報先の通報先端末１２１に送信する。図７の７０５は、本装置から監視フロアに不審者がいると見なしたメッセージを受信した場合の住人端末１１７のイメージ図である。
（付記１）
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と前記第２の記憶手段より抽出した前記不審者監視要求情報に対応する留守宅情報に基づいて、不審者存在情報を生成し、前記不審者存在情報を前記利用者に送信する手段を備えたことを特徴とする不審者監視装置。
（付記２）
前記不審者存在情報を、連絡先情報を格納する第３の記憶手段と、
前記第３の記憶手段より抽出した連絡先に送信する手段を更に備えたことを特徴とする付記１記載の不審者監視装置。
（付記３）
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在する場合、留守宅が存在する監視フロアに不審者がいると見なすメッセージを生成し、前記メッセージを前記利用者に送信する手段を備えたことを特徴とする不審者監視装置。
（付記４）
利用者から不審者監視要求情報を受信する手段と、
不審者管理要求に対応する監視タイマ情報を格納する第１の記憶手段と、
前記第１の記憶手段より、前記不審者監視要求に対応する監視タイマ情報を抽出し、前記監視タイマ情報に基づく監視タイマを設定する手段と、
不審者監視要求情報に対応する留守宅情報を格納する第２の記憶手段と、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在しない場合、監視フロアに不審者がいると見なすメッセージを生成し、前記メッセージを前記利用者に送信する手段を備えたことを特徴とする不審者監視装置。
（付記５）
不審者監視装置における不審者監視方法であって、
前記不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報に基づいて、不審者存在情報を生成し、前記不審者存在情報を前記利用者に送信するステップを備えたことを特徴とする不審者監視方法。
（付記６）
前記不審者存在情報を、連絡先情報を格納する第３の記憶手段より抽出した連絡先に送信するステップを更に備えたことを特徴とする付記５１記載の不審者監視方法。
（付記７）
不審者監視装置における不審者監視方法であって、
前記不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在する場合、留守宅が存在する監視フロアに不審者がいると見なすメッセージを生成し、前記メッセージを前記利用者に送信するステップを備えたことを特徴とする不審者監視方法。
（付記８）
不審者監視装置における不審者監視方法であって、
前記不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在しない場合、監視フロアに不審者がいると見なすメッセージを生成し、前記メッセージを前記利用者に送信するステップを備えたことを特徴とする不審者監視方法。
（付記９）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報に基づいて、不審者存在情報を生成し、前記不審者存在情報を前記利用者に送信するステップをコンピュータに実行させるためのプログラム。
（付記１０）
前記不審者存在情報を、連絡先情報を格納する第３の記憶手段より抽出した連絡先に送信するステップを更に備えたことを特徴とする付記９記載のプログラム。
（付記１１）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在する場合、留守宅が存在する監視フロアに不審者がいると見なすメッセージを生成し、前記メッセージを前記利用者に送信するステップをコンピュータに実行させるためのプログラム。
（付記１２）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在しない場合、監視フロアに不審者がいると見なすメッセージを生成し、前記メッセージを前記利用者に送信するステップをコンピュータに実行させるためのプログラム。
（付記１３）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報に基づいて、不審者存在情報を生成し、前記不審者存在情報を前記利用者に送信するステップを実行させるためのプログラムを格納したコンピュータ読み取り可能な記憶媒体。
（付記１４）
前記不審者存在情報を、連絡先情報を格納する第３の記憶手段より抽出した連絡先に送信するステップを更に備えたことを特徴とする付記１３記載の記憶媒体。
（付記１５）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在する場合、留守宅が存在する監視フロアに不審者がいると見なすメッセージを生成し、前記メッセージを前記利用者に送信するステップを実行させるためのプログラムを格納したコンピュータ読み取り可能な記憶媒体。
（付記１６）
不審者監視装置が、利用者から不審者監視要求情報を受信するステップと、
不審者管理要求に対応する監視タイマ情報を格納する第１の記憶手段より、前記不審者監視要求に対応する監視タイマ情報を抽出し、前記監視タイマ情報に基づく監視タイマを設定するステップと、
前記監視タイマのタイムアウトを検出した場合、前記不審者監視要求情報と不審者監視要求情報に対応する留守宅情報を格納する第２の記憶手段より抽出した前記不審者監視要求情報に対応する留守宅情報が存在しない場合、監視フロアに不審者がいると見なすメッセージを生成し、前記メッセージを前記利用者に送信するステップを実行させるためのプログラムを格納したコンピュータ読み取り可能な記憶媒体。
【００２１】
【発明の効果】
前記第１の課題については、不審者監視装置が、住人端末から送信された不審者監視要求を契機に監視タイマを用いて一定時間経過後も不審者と思われる人物が周辺にいると見なした場合、前記住人端末及び通報先端末に不審者存在情報を送信する手段を備えることによって、住人自らが不審者と思われる人物に要件を確認する必要がないため、前記人物から危害を加えられる可能性を極力なくすことが出来る効果がある。
【００２２】
また、前記第２の課題についても、前記不審者監視装置により、住人が再度、不審者を発見した場所に赴き、不審者と思われる人物が周辺にいるか確認しなくても、一定時間経過後に自動的に、管理人や警備会社・警察などへマンション内に不審者と思われる人物がいる旨を連絡することが出来ることが挙げられる。
【図面の簡単な説明】
【図１】本発明の実施例のシステム構成を説明するブロック図。
【図２】本発明の実施例の留守宅記録処理を説明するフローチャート。
【図３】本発明の実施例のドア開閉記録処理を説明するフローチャート。
【図４】本発明の実施例の不審者監視処理を説明するフローチャート。
【図５】本発明の実施例の留守宅ＤＢと、ドア開閉ＤＢ・通報先ＤＢの例。
【図６】本発明の実施例のエントランス装置と住人端末のイメージ図例。
【図７】本発明の実施例の住人端末イメージ図例。（その２）。
【符号の説明】
１０１　本発明の実施例の不審者監視装置
１０３　本発明の実施例の留守宅記録プログラム
１０５　本発明の実施例のドア開閉記録プログラム
１０７　本発明の実施例の不審者監視プログラム
１０９　本発明の実施例の緊急連絡条件ＤＢ
１１１　本発明の実施例の留守宅ＤＢ
１１３　本発明の実施例のドア開閉ＤＢ
１１５　本発明の実施例の通報先ＤＢ
１１７　本発明の実施例の住人端末
１１９　本発明の実施例のネットワーク
１２１　本発明の実施例の通報先端末
１２３　本発明の実施例のエントランス装置
１２５　本発明の実施例のドア開閉記録装置
【図１】
2004029925.tif 000003
【図２】
2004029925.tif 000004
【図３】
2004029925.tif 000005
【図４】
2004029925.tif 000006
【図５】
2004029925.tif 000007
【図６】
2004029925.tif 000008
【図７】
2004029925.tif 000009